(57)【要約】      （修正有）【課題】画質に関する情報を確認することができる磁気共鳴イメージング装置及び画像処理装置を提供する。【解決手段】磁気共鳴イメージング装置は、撮像部と、推定部と、制御部とを備える。撮像部は、被検体を対象に、第１の撮像、及び、第１の撮像よりも後段の第２の撮像を実行する。推定部は、第２の撮像を実行した場合の画質に関する情報を、第１の撮像に係る磁気共鳴画像と、第２の撮像に関して設定された撮像条件とに基づいて推定する。制御部は、磁気共鳴画像に推定結果を重畳して表示部に表示させ、磁気共鳴画像に対する指定操作を操作者から受け付け、指定操作に基づいて、第２の撮像に関する撮像条件の設定を変更する。【選択図】図２
2018020106.tif 000002
【特許請求の範囲】
【請求項１】
被検体を対象に、第１の撮像、及び、前記第１の撮像よりも後段の第２の撮像を実行する撮像部と、
前記第２の撮像を実行した場合の画質に関する情報を、前記第１の撮像に係る磁気共鳴画像と、前記第２の撮像に関して設定された撮像条件とに基づいて推定する推定部と、
前記磁気共鳴画像に推定結果を重畳して表示部に表示させ、前記磁気共鳴画像に対する指定操作を操作者から受け付け、前記指定操作に基づいて、前記第２の撮像に関する撮像条件の設定を変更する制御部と
を備える、磁気共鳴イメージング装置。
【請求項２】
前記推定部は、前記画質に関する情報として、静磁場の不均一性の分布に関する情報を推定し、
前記制御部は、前記磁気共鳴画像に、推定された前記静磁場の不均一性の分布に関する情報を重畳して前記表示部に表示させるとともに、シミングのための関心領域の指定を操作者から受け付け、前記関心領域の指定に基づいてシミングのための値を計算し、計算した値を適用するように、前記第２の撮像の撮像条件の設定を変更する、
請求項１に記載の磁気共鳴イメージング装置。
【請求項３】
画像データから、所定の断面で所定の関心領域を含む断面画像を生成する生成部を更に備え、
前記推定部は、前記断面画像と、前記撮像条件とに基づいて、前記情報を推定し、
前記制御部は、前記情報を、前記画像データまたは前記断面画像に重畳させて前記表示部に表示させる、請求項１に記載の磁気共鳴イメージング装置。
【請求項４】
前記画像データは、撮像対象の形態情報を示すロケータ画像、受信コイルの感度分布を表す画像、静磁場あるいは高周波磁場の磁場分布を表すシミング画像のいずれかである、請求項３に記載の磁気共鳴イメージング装置。
【請求項５】
前記推定部は、前記断面画像と、前記第２の撮像の撮像範囲とに基づいて、撮像範囲外からの折り返りに関する情報を推定する、請求項３に記載の磁気共鳴イメージング装置。
【請求項６】
前記推定部は、前記断面画像と、静磁場または高周波磁場のシミング調整値とに基づいて、撮影範囲における磁場強度に関する情報を推定する、請求項３に記載の磁気共鳴イメージング装置。
【請求項７】
前記推定部は、前記断面画像と、パラレルイメージングの加速率とに基づいて、アンフォールド前の折り返し画像に関する情報を推定する、請求項３に記載の磁気共鳴イメージング装置。
【請求項８】
前記推定部は、前記断面画像と、パラレルイメージングの加速率とに基づいて、ｇ−ｆａｃｔｏｒに関する情報を推定する、請求項３に記載の磁気共鳴イメージング装置。
【請求項９】
前記推定部は、前記断面画像と、前記第２の撮像の撮影範囲とに基づいて、受信コイルの感度の分布に関する情報を推定する、請求項３に記載の磁気共鳴イメージング装置。
【請求項１０】
前記推定部は、前記断面画像と、受信コイルの各エレメントを使用するか否かの情報とに基づいて、前記第２の撮像において使用される受信コイルの位置に関する情報を推定する、請求項３に記載の磁気共鳴イメージング装置。
【請求項１１】
前記推定部は、前記断面画像と、受信コイルの各エレメントごとの撮像範囲の情報とに基づいて、磁場歪補正後の画像を推定する、請求項３に記載の磁気共鳴イメージング装置。
【請求項１２】
前記推定部は、前記断面画像と、受信コイルの各エレメントごとの撮像範囲の情報とに基づいて、磁場中心からの距離に関する情報を推定する、請求項３に記載の磁気共鳴イメージング装置。
【請求項１３】
前記制御部は、前記情報の修正入力をユーザから受け付け、前記修正入力を受け付けている間、前記情報を前記断面画像に重畳させて前記表示部に表示させ、前記修正入力を受け付けていない間、前記情報を非表示にさせる、請求項３〜１２のいずれか一つに記載の磁気共鳴イメージング装置。
【請求項１４】
前記制御部は、前記情報の修正入力をユーザから受け付け、前記修正入力の受け付けが完了した後、前記情報を前記断面画像に重畳させて前記表示部に表示させる、請求項３〜１２のいずれか一つに記載の磁気共鳴イメージング装置。
【請求項１５】
前記制御部は、前記情報を表す値と所定の閾値とを比較し判定を行い、判定結果に基づいて、前記情報を前記断面画像に重畳させて前記表示部に表示させる、請求項３〜１２のいずれか一つに記載の磁気共鳴イメージング装置。
【請求項１６】
被検体を対象に、第１の撮像、及び、前記第１の撮像よりも後段の第２の撮像を実行する撮像部と、
前記第２の撮像を実行した場合の画質に関する情報を、前記第１の撮像に係る磁気共鳴画像と、前記第２の撮像に関して設定された撮像条件とに基づいて推定する推定部と、
前記推定部が推定した結果をディスプレイに表示させ、前記磁気共鳴画像に対する指定操作を操作者から受け付け、前記指定操作に基づいて、前記第２の撮像に関する撮像条件の設定を変更する制御部と
を備える、磁気共鳴イメージング装置。
【請求項１７】
第１の撮像よりも後段の第２の撮像を実行した場合の画質に関する情報を、前記第１の撮像に係る磁気共鳴画像と、前記第２の撮像に関して設定された撮像条件とに基づいて推定する推定部と、
推定した結果を前記磁気共鳴画像に重畳してディスプレイに表示させ、前記磁気共鳴画像に対する指定操作を操作者から受け付け、
前記指定操作に基づいて、前記第２の撮像に関する撮像条件の設定を変更する制御部と
を備える、画像処理装置。
【発明の詳細な説明】
【技術分野】
【０００１】
本発明の実施形態は、磁気共鳴イメージング装置及び画像処理装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）は、静磁場中に置かれた被検体の原子核スピンをラーモア周波数（Ｌａｒｍｏｒ  Ｆｒｅｑｕｅｎｃｙ）のＲＦ（Ｒａｄｉｏ  Ｆｒｅｑｕｅｎｃｙ）パルスで磁気的に励起し、この励起に伴って発生するＮＭＲ（Ｎｕｃｌｅａｒ  Ｍａｇｎｅｔｉｃ  Ｒｅｓｏｎａｎｃｅ）信号から画像を再構成する撮像法である。
【０００３】
例えば、磁気共鳴イメージングにおける心臓検査の場合、心臓の解剖学的な特徴に基づく断面である基準断面の設定が、診断のための撮像に先立って行われる。また、磁気共鳴イメージングにおいて、ＦＯＶ（Ｆｉｅｌｄ  Ｏｆ  Ｖｉｅｗ）や位相エンコード数、スライス枚数、パラレルイメージング（Ｐａｒａｌｌｅｌ  Ｉｍａｇｉｎｇ）の加速率などの様々な撮像パラメータの設定が、診断のための撮像に先立って行われる。
【０００４】
これらの設定の方法として、例えば、断面位置の形態情報を、診断のための撮像に先立って表示部（ディスプレイ）に表示させることにより設定を行う方法がある。
【０００５】
しかしながら、例えば、経験の浅い診療放射線技師の場合、画質を考慮せずに診断のための撮像を行ってしまい、画質不良で再度撮像を要する場合がある。
【先行技術文献】
【特許文献】
【０００６】
【特許文献１】特開昭６２−２７０１４３号公報
【特許文献２】特開２００９−４５２７４号公報
【特許文献３】特開平６−１８９９３５号公報
【特許文献４】特許第５３２３１９４号明細書
【発明の概要】
【発明が解決しようとする課題】
【０００７】
本発明の実施形態は、画質に関する情報を確認することができる磁気共鳴イメージング装置及び画像処理装置を提供する。
【課題を解決するための手段】
【０００８】
実施形態に係る磁気共鳴イメージング装置は、撮像部と、推定部と、制御部とを備える。撮像部は、被検体を対象に、第１の撮像、及び、前記第１の撮像よりも後段の第２の撮像を実行する。推定部は、前記第２の撮像を実行した場合の画質に関する情報を、前記第１の撮像に係る磁気共鳴画像と、前記第２の撮像に関して設定された撮像条件とに基づいて推定する。制御部は、前記磁気共鳴画像に推定結果を重畳して表示部に表示させ、前記磁気共鳴画像に対する指定操作を操作者から受け付け、前記指定操作に基づいて、前記第２の撮像に関する撮像条件の設定を変更する。
【図面の簡単な説明】
【０００９】
【図１】図１は、実施形態に係る磁気共鳴イメージング装置を示す図である。
【図２】図２は、実施形態に係る磁気共鳴イメージング装置の行う処理の手順について示したフローチャートである。
【図３】図３は、実施形態に係る磁気共鳴イメージング装置の行う処理について説明した図である。
【図４】図４は、実施形態に係る磁気共鳴イメージング装置の行う処理について説明した図である。
【図５】図５は、実施形態に係る磁気共鳴イメージング装置の行う処理について説明した図である。
【図６】図６は、実施形態に係る磁気共鳴イメージング装置の行う処理について説明した図である。
【図７】図７は、実施形態に係る磁気共鳴イメージング装置の行う処理について説明した図である。
【図８】図８は、実施形態に係る磁気共鳴イメージング装置の行う処理について説明した図である。
【図９】図９は、実施形態に係る磁気共鳴イメージング装置の行う処理について説明した図である。
【図１０】図１０は、実施形態に係る磁気共鳴イメージング装置の行う処理について説明した図である。
【図１１】図１１は、実施形態に係る画像処理装置のハードウェア構成について説明した図である。
【発明を実施するための形態】
【００１０】
以下、添付図面を参照して、実施形態に係る磁気共鳴イメージング装置及び画像処理装置について、詳細に説明する。
【００１１】
(実施形態)
図１は、実施形態に係る磁気共鳴イメージング装置１００を示す図である。被検体Ｐ（図１において点線の枠内）は、磁気共鳴イメージング装置１００に含まれない。
【００１２】
静磁場磁石１は、中空の円筒状に形成され、内部の空間に一様な静磁場を発生する。静磁場磁石１は、たとえば、永久磁石、超伝導磁石等である。傾斜磁場コイル２は、中空の円筒状に形成され、内部の空間に傾斜磁場を発生する。
【００１３】
具体的には、傾斜磁場コイル２は、静磁場磁石１の内側に配置され、傾斜磁場電源３から傾斜磁場パルスの供給を受けて、傾斜磁場を発生する。傾斜磁場電源３は、シーケンス制御回路１０から送信される制御信号に従って、傾斜磁場パルスを傾斜磁場コイル２に供給する。
【００１４】
寝台４は、被検体Ｐが載置される天板４ａを備え、天板４ａを、被検体Ｐが載置された状態で、撮像口である傾斜磁場コイル２の空洞内へ挿入する。通常、寝台４は、長手方向が静磁場磁石１の中心軸と平行になるように設置される。
【００１５】
寝台制御回路５は、寝台４を駆動して、天板４ａを長手方向及び上下方向へ移動する。
【００１６】
送信コイル６は、磁場を発生する。具体的には、送信コイル６は、傾斜磁場コイル２の内側に配置され、送信回路７からＲＦ（Ｒａｄｉｏ  Ｆｒｅｑｕｅｎｃｙ）パルスの供給を受けて、磁場を発生する。送信回路７は、シーケンス制御回路１０から送信される制御信号に従って、ラーモア周波数に対応するＲＦパルスを送信コイル６に供給する。
【００１７】
受信コイル８は、磁気共鳴信号（以下、ＭＲ（Ｍａｇｎｅｔｉｃ  Ｒｅｓｏｎａｎｃｅ）信号）を受信する。具体的には、受信コイル８は、傾斜磁場コイル２の内側に配置され、磁場の影響によって被検体Ｐから放射される磁気共鳴信号を受信する。また、受信コイル８は、受信した磁気共鳴信号を受信回路９に出力する。
【００１８】
受信回路９は、シーケンス制御回路１０から送られる制御信号に従って、受信コイル８から出力された磁気共鳴信号に基づき磁気共鳴信号データを生成する。具体的には、受信回路９は、受信コイル８から出力された磁気共鳴信号をデジタル変換することによって磁気共鳴信号データを生成し、生成した磁気共鳴信号データを、シーケンス制御回路１０を介して画像処理装置２００に送信する。なお、受信回路９は、静磁場磁石１や傾斜磁場コイル２等を備える架台装置側に備えられていてもよい。
【００１９】
シーケンス制御回路１０（撮像部）は、傾斜磁場電源３、送信回路７、及び受信回路９を制御する。具体的には、シーケンス制御回路１０は、画像処理装置２００から送信されたパルスシーケンス実行データに基づく制御信号を、傾斜磁場電源３、送信回路７、及び受信回路９に送信する。たとえば、シーケンス制御回路１０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。
【００２０】
画像処理装置２００は、処理回路１５０と、メモリ１３２と、入力インタフェース１３４と、ディスプレイ１３５とを備える。また、処理回路１５０は、制御機能１５０ａ、生成機能１５０ｂ、推定機能１５０ｃ及び図示しないインタフェース機能、受付機能、判定機能を有する。制御機能１５０ａ、生成機能１５０ｂ、推定機能１５０ｃの詳細な処理については省略する。
【００２１】
制御機能１５０ａ、生成機能１５０ｂ、推定機能１５０ｃにて行われる各処理機能は、コンピュータによって実行可能なプログラムの形態でメモリ１３２へ記憶されている。処理回路１５０はプログラムをメモリ１３２から読み出し、実行することで各プログラムに対応する機能を実現するプロセッサである。換言すると、各プログラムを読み出した状態の処理回路１５０は、図１の処理回路１５０内に示された各機能を有することになる。なお、図１においては単一の処理回路１５０にて、制御機能１５０ａ、生成機能１５０ｂ、推定機能１５０ｃにて行われる処理機能が実現されるものとして説明したが、複数の独立したプロセッサを組み合わせて処理回路１５０を構成し、各プロセッサがプログラムを実行することにより機能を実現するものとしても構わない。
【００２２】
換言すると、上述のそれぞれの機能がプログラムとして構成され、１つの処理回路が各プログラムを実行する場合であってもよいし、特定の機能が専用の独立したプログラム実行回路に実装される場合であってもよい。なお、処理回路１５０の有する制御機能１５０ａ、生成機能１５０ｂ、推定機能１５０ｃ、受付機能、判定機能は、それぞれ制御部、生成部、推定部、受付部（制御部）、判定部の一例である。また、ディスプレイ１３５は、表示部の一例である。
【００２３】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃａｌ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサはメモリ１３２に保存されたプログラムを読み出し実行することで機能を実現する。なお、メモリ１３２にプログラムを保存する代わりに、プロセッサの回路内にプログラムを直接組み込むよう構成しても構わない。この場合、プロセッサは回路内に組み込まれたプログラムを読み出し実行することで機能を実現する。例えば、メモリ１３２は、ＲＡＭ（Random  Access  Memory）、フラッシュメモリ等の半導体メモリ素子、ハードディスク、光ディスク等である。
【００２４】
メモリ１３２は、生成機能１５０ｂによって格納された画像データや、磁気共鳴イメージング装置１００において用いられるその他のデータを記憶する。たとえば、メモリ１３２は、ＲＡＭ（Random  Access  Memory）、フラッシュメモリ（Flash  Memory）等の半導体メモリ素子、ハードディスク、光ディスク等で構成される。
【００２５】
入力インタフェース１３４は、操作者からの各種指示や情報入力を受け付ける。入力インタフェース１３４は、例えば、マウスやトラックボール等のポインティングデバイス、あるいはキーボード等の入力デバイスである。
【００２６】
ディスプレイ１３５は、処理回路１５０による制御のもと、画像データ等の各種の情報を表示する。ディスプレイ１３５、例えば、液晶表示器等の表示デバイスである。
【００２７】
処理回路１５０は、図示しないインタフェース機能により、シーケンス制御回路１０に接続され、シーケンス制御回路１０と画像処理装置２００との間で送受信されるデータの入出力を制御する。
【００２８】
処理回路１５０は、制御機能１５０ａにより、磁気共鳴イメージング装置１００の全体制御を行い、撮像や画像の生成、画像の表示などを制御する。たとえば、制御機能１５０ａは、ＡＳＩＣ、ＦＰＧＡ等の集積回路、ＣＰＵ、ＭＰＵ等の電子回路である。
【００２９】
なお、処理回路１５０は、制御機能１５０ａにより、後述するように、基準断面の撮像位置の決定と、その決定した基準断面位置での画質に関する情報を効率的に確認・修正する。
【００３０】
処理回路１５０は、生成機能１５０ｂにより、シーケンス制御回路１０から送信された磁気共鳴信号データから画像データを再構成し、再構成した画像データをメモリ１３２に格納する。また、処理回路１５０は、生成機能１５０ｂにより、被検体Ｐの撮像最小を含む３次元データと、入力インタフェース１３４を介して設定中の断面位置をメモリ１３２から取得し、対応するＭＰＲ（Ｍｕｌｔｉ  Ｐｌａｎａｒ）画像を生成する。生成したＭＰＲ画像は、メモリ１３２に保存される。
【００３１】
処理回路１５０は、推定機能１５０ｃにより、被検体Ｐを含む３次元データと設定中の断面位置及び撮像パラメータとを入力インタフェース１３４を介してメモリ１３２から取得して、診断のための画像の画質に関する情報を推定する。推定した画質情報は、メモリ１３２に保存される。
【００３２】
続いて、実施形態に係る背景について簡単に説明する。
【００３３】
磁気共鳴イメージングによる検査の手順としては、例えば、心臓を例に取ると、スカウト像（Scout）またはロケータ像（Locator）と呼ばれる体軸横断面像（Axial）、矢状断面像（Sagittal）、及び冠状断面像（Coronal）を撮像した後に、複数の体軸横断面であるマルチスライス像（Axial  multi-slice）を撮像し、その後、基準断面を撮像する流れ等がある。ここで、基準断面とは、解剖学的な特徴に基づく断面像であり、心臓の場合は左室垂直長軸像（Left  ventricular  vertical  long-axis）、左室水平長軸像（Left  ventricular  horizontal  long-axis）、左室短軸像（Left  ventricular  short-axis）、左室二腔長軸像（Left  ventricular  2-chamber  long-axis）、左室三腔長軸像（Left  ventricular  3-chamber  long-axis）、左室四腔長軸像（Left  ventricular  4-chamber  long-axis）等である。検査において、例えば基準断面の断面位置が設定される必要がある。なお、基準断面や基準断面の設定方法は、心臓に限らず、脳、肩、膝など様々な対象でも定められている。
【００３４】
また、検査においては、上述した断面位置の設定だけでなく、様々な撮像パラメータが設定される必要がある。ここで、撮像パラメータとは、例えば、ＦＯＶや位相エンコード数、スライス枚数、サンプリングを間引いて高速に撮像するＳＥＮＳＥ（Sensitivity  Encoding）法などのパラレルイメージング（Parallel  Imaging）の加速率（Reduction  Factor）、等である。
【００３５】
断面位置の形態に関する情報に基づいて、断面位置等を設定する方法が知られている。しかし、これらの技術では、画質に関する情報が含まれていないため、例えば、経験の浅い診療放射線技師の場合、画質に関する情報を事前に考慮できず撮像した結果、画質不良で取り直しとなる場合が多く、結果として検査スループットが低下する場合もある。
【００３６】
かかる背景のもとで、実施形態に係る磁気共鳴イメージング装置１００は、画質に関する情報を推定し、推定した情報を、画像データ又は断面画像に重畳させて表示部（ディスプレイ１３５）に表示させる。
【００３７】
図２は、実施形態に係る磁気共鳴イメージング装置の行う処理の手順について示したフローチャートである。図３〜１０は、実施形態に係る磁気共鳴イメージング装置の行う処理について説明した図である。
【００３８】
シーケンス制御回路１０は、第１の撮像を実行する（ステップＳ１００）。続いて、処理回路１５０は、図示しない取得部により、ステップＳ１００においてシーケンス制御回路１０が実行した第１の撮像をもとに、画像データ（例えば３次元データ）を取得する（ステップＳ１１０）。
【００３９】
ここで、かかる画像データの例としては、撮像対象である被検体Ｐの形態情報を示すロケータ画像である。この時、シーケンス制御回路１０は、ステップＳ１００において、ロケータ画像を取得するための撮像を第１の撮像として実行する。ここで、ロケータ画像を取得するための撮像である第１の撮像の具体例としては、例えば、ＧＥ（Gradient  Echo）系のパルスシーケンスである、３Ｄ  ＦＦＥ（Fast  Field  Echo）シーケンスや、３Ｄ  ＳＳＦＰ（Steady-state  Free  Precession）シーケンスである。また、シーケンス制御回路１０は、３Ｄ  ＦＦＥシーケンスや３Ｄ  ＳＳＦＰシーケンスに先立ち、Ｔ２プリパレーション（preparation）パルスを印加するパルスシーケンスを付加してもよい。シーケンス制御回路１０がＴ２プリパレーションパルスを印加することで、処理回路１５０は、生成機能１５０ｂにより、組織コントラストが強調された画像を生成することができる。
【００４０】
また、例えば、かかる画像データの別の例としては、受信コイル８の感度分布を表す画像（感度マップ）が挙げられる。この時、シーケンス制御回路１０は、ステップＳ１００において、感度マップを取得するための撮像を第１の撮像として実行する。具体的には、シーケンス制御回路１０は、例えば、空間均一性の高いボディコイルと、空間均一性の低い受信コイル８（マルチコイル）とをそれぞれ用いて撮像を行う。
【００４１】
続いて、処理回路１５０は、生成機能１５０ｂにより、ボディコイルを用いて行われた撮像から、ボディコイルに係る画像を生成する。また、処理回路１５０は、生成機能１５０ｂにより、受信コイル８を用いて行われた撮像から、複数の画像を、受信コイル８のエレメントごとに生成する。ステップＳ１１０において、処理回路１５０は、ボディコイルに係る画像と、受信コイル８のエレメントごとに生成された複数の画像との比を取ることで、受信コイル８の感度分布を表す画像（感度マップ）を取得する。
【００４２】
また、例えば、かかる画像データの別の例としては、静磁場（Ｂ０）あるいは高周波磁場（Ｂ１）の磁場分布を表すシミング画像が挙げられる。すなわち、シーケンス制御回路１０は、ステップＳ１００において、シミング画像を得るための撮像を行う。続いて、処理回路１５０は、生成機能１５０ｂにより、ステップＳ１００で行われた撮像に基づいて、シミング画像を生成する。例えば、処理回路１５０は、生成機能１５０ｂにより、静磁場の強度分布であるＢ０の分布を表す画像を、異なるエコー時間の複数の磁気共鳴イメージング画像の位相差から計算する。また、例えば、処理回路１５０は、生成機能１５０ｂにより、高周波磁場の強度分布であるＢ１の分布を表す画像を、例えば、異なる励起パルスを印加した複数の磁気共鳴イメージング画像の強度比から計算する。
【００４３】
続いて、シーケンス制御回路１０は、処理を終了するか否かを判定する（ステップＳ１２０）。シーケンス制御回路１０は、処理すべき検査用シーケンスが残っておらず、処理を終了すると判定した場合（ステップＳ１２０  Ｙｅｓ）、処理を終了する。一方、シーケンス制御回路１０は、処理すべき検査用シーケンスが残っている場合、処理を終了しないと判定し（ステップＳ１２０  Ｎｏ）、処理はステップＳ１３０に移る。
【００４４】
続いて、処理回路１５０は、検査用シーケンスの断面位置及び、撮像パラメータを設定する（ステップＳ１３０）。具体的には、はじめに、処理回路１５０は、入力インタフェース１３４を通じて、検査用シーケンスの断面位置を特定する情報及び撮像パラメータに関する情報（第１の撮像よりも後段の第２の撮像を実行した場合の画質に関する情報）の入力を受け付ける。
【００４５】
処理回路１５０は、検査用シーケンスの断面位置を特定する情報の入力を受け付ける。ここで、処理回路１５０は、入力インタフェース１３４を通じて、検査用シーケンスの断面位置を特定する情報の例として、例えば、断面上の一つの点ｏの位置と、平面を構成する２本の単位ベクトルｕ、ｖの方向の入力を受け付ける。なお、ｏ、ｕ、ｖの成分を具体的に書くと、例えば、以下の式（１）、（２）で表される。
【数１】
2018020106.tif 000003
【数２】
2018020106.tif 000004
【００４６】
かかる入力画面の一例が図３に示されている。画像１３は、既に撮像済みの検査用シーケンスの再構成画像を表す。断面１１は、処理回路１５０がステップＳ１３０で設定を行っている検査用シーケンスの断面を表す。処理回路１５０は、例えば、断面１１の中心の位置（点ｏ）及び断面１１を構成する２本の単位ベクトルｕ、ｖの方向の入力を受け付ける。
【００４７】
また、処理回路１５０は、撮像パラメータに関する情報の入力を受け付ける。図４に、かかる状況が示されている。エディットボックス２１は、マトリクスサイズに関する設定を行うエディットボックスである。チェックボックス２２は、受信コイル８のエレメントごとの利用の有無に関する設定を行うチェックボックスである。エディットボックス２３は、撮影範囲に関する設定を行うエディットボックスである。
【００４８】
処理回路１５０は、例えば読み出し方向（ＲＯ（Ｒｅａｄｏｕｔ）方向）のマトリクスサイズ、位相エンコード方向（ＰＥ（Ｐｈａｓｅ  Ｅｎｃｏｄｅ）方向）のマトリクスサイズ、スライス（Ｓｌｉｃｅ）方向のマトリクスサイズに関する情報の入力を、エディットボックス２１を通じて受け付ける。
【００４９】
処理回路１５０は、例えば受信コイル８のエレメントごとの利用の有無を、エディットボックス２２を通じて受け付ける。
【００５０】
処理回路１５０は、例えば読み出し方向（ＲＯ方向）の撮像範囲及び例えば位相エンコード方向（ＰＥ方向）に関する情報の入力を、エディットボックス２３を通じて受けつける。
【００５１】
処理回路１５０は、例えばパラレルイメージングのＰＥ方向の加速率やスライス厚を、エディットボックス２４等を通じて受け付ける。
【００５２】
処理回路１５０は、受け付けた情報をもとに、検査用シーケンスの断面位置及び撮像パラメータを設定する。処理回路１５０は、設定された検査用シーケンスの断面位置及び撮像パラメータを、メモリ１３２に保存する。
【００５３】
また、処理回路１５０は、例えば静磁場補正用コイルに流す電流値と、高周波磁場調整用の送信ポートごとの波形、位相、強度のなどのパラメータを、撮像パラメータとして扱ってもよい。
【００５４】
図２に戻り、処理回路１５０は、ステップＳ１１０で取得された画像データ（例えば３次元データ）から、所定の断面で所定の関心領域を含むＭＰＲ画像（断面画像）を生成する（ステップＳ１４０）。続いて、処理回路１５０は、制御機能１５０ａにより、ステップＳ１４０で生成された断面画像（ＭＰＲ画像）をディスプレイ１３５に表示させる（ステップＳ１５０）。
【００５５】
図５に、かかるＭＰＲ画像の一例が示されている。断面画像領域４１は、設定中の断面位置に対応するＭＰＲ画像が生成されている領域を表す。これに対して、撮像範囲４０は、設定中の撮像範囲を表す。処理回路１５０は、ステップＳ１４０において、例えば、設定中の撮像範囲である撮像範囲４０よりも広い断面画像領域４１であって、設定中の断面位置と同じ断面位置において、断面画像を生成する。
【００５６】
このように、例えば処理回路１５０は、設定中の撮像範囲である撮像範囲４０よりも広い断面画像領域４１で断面画像を生成することで、例えば設定中の撮像範囲の外から設定中の撮像範囲に入ってくるアーチファクトの大きさなどをユーザに予見しやすくする。
【００５７】
続いて、処理回路１５０は、推定機能１５０ｃにより、ステップＳ１４０で生成された断面画像と、磁気共鳴イメージングによる撮像の設定に関するパラメータとに基づいて、撮像を行った場合の画質に関する情報を推定する（ステップＳ１６０）。すなわち、処理回路１５０は、第１の撮像よりも後段の第２の撮像を実行した場合の画質に関する情報を、第２の撮像に関して設定された撮像条件と、第１の撮像に係る磁気共鳴画像とに基づいて推定する。続いて、処理回路１５０は、制御機能１５０ａにより、ステップＳ１６０で推定機能１５０ｃにより推定した画質に関する情報を、前述の画像データ又は断面画像に重畳させてディスプレイ１３５に表示させる（ステップＳ１７０）。すなわち、処理回路１５０は、制御機能１５０ａにより、当該第１の撮像に係る磁気共鳴画像に推定結果を重畳してディスプレイ１３５に表示させる。
【００５８】
ここで、ステップＳ１７０において、磁気共鳴画像に推定結果を重畳するのは、形態画像や機能画像などに画質に関する情報が重畳されて表示されることにより、例えば画質に関する情報の、腫瘍の位置に対する相対的位置関係などがより直観的にわかりやすくなるからである。
【００５９】
図６に、かかる場合の一例が示されている。断面画像領域４１は、設定中の断面位置に対応するＭＰＲ画像の領域を表す。これに対して、撮像範囲４０は、設定中の撮像範囲を表す。折り返り領域４２ａ、４２ｂは、撮像範囲４０の外からの折り返しアーチファクトを表す。また、矢印Ｄは、設定中の位相エンコードの方向を表す。
【００６０】
ステップＳ１６０において、処理回路１５０は、推定機能１５０ｃにより、ステップＳ１４０で生成された断面画像と、磁気共鳴イメージングによる撮像の撮像範囲４０（第２の撮像を行った場合の撮像範囲４０）とに基づいて、撮像（第２の撮像）を行った場合の画質に関する情報である、撮像範囲外からの折り返り領域４２ａ、４２ｂに関する情報を推定する。続いて、処理回路１５０は、制御機能１５０ａにより、ステップＳ１６０で推定機能１５０ｃにより推定した画質に関する情報を、画像データ又は断面画像に重畳させてディスプレイ１３５に表示させる。
【００６１】
また、処理回路１５０は、設定中の位相エンコード方向Ｄを矢印で表示し、想定される撮像範囲の外からの折り返りアーチファクトを推定する。処理回路１５０は、制御機能１５０ａにより、推定した折り返りアーチファクトを、ディスプレイ１３５に、例えば強調表示させる。
【００６２】
このような処理を行うことで、ユーザは、折り返りアーチファクトの有無をより簡単にかつ直観的に予測できるようになる。この結果、ユーザは、折り返りアーチファクトが起こらないように、撮像条件を調整することができる。例えば、ユーザは、撮像範囲４０の拡大、位相エンコード方向Ｄの向きの変更、サチュレーションパルスの印加等を行うことで、撮像条件を調整することができる。ユーザは、撮像条件の調整を、少ない視点の移動で、直観的に、行うことができる。この点は、例えば、いつも決まった体位で被検体Ｐを寝台４に固定しづらい、肘や膝などの部位の撮像の場合に有利である。
【００６３】
図６においては、ステップＳ１６０で推定機能１５０ｃにより推定した画質に関する情報が重畳される断面画像がＭＰＲ画像である場合について説明したが、実施形態にはこれに限られない。例えば、推定された画質に関する情報が重畳される断面画像は、マルチスライス撮像において収集された１スライス分の画像であってもよい。また、推定された画質に関する情報が重畳される断面画像は、例えば、３次元ボリュームデータに対してＭＩＰ（Ｍａｘｉｍｕｍ  Ｉｎｔｅｎｓｉｔｙ  Ｐｒｏｊｅｃｔｉｏｎ）法による投影を行うことにより得られた投影画像データであってもよい。また、図６においては、ステップＳ１６０で推定機能１５０ｃにより推定した画質に関する情報が、断面画像に重畳される場合について説明したが、実施形態はこれに限られない。例えば、推定した画質に関する情報が、ＭＰＲ等の断面画像ではなく、例えば断面を切り出す前のオリジナルデータである画像データに対して重畳されてもよい。
【００６４】
図７に、図６とは異なる場合における処理の一例が示されている。断面画像領域４１は、設定中の断面位置に対応するＭＰＲ画像の領域を表す。これに対して、撮像範囲４０は、設定中の撮像範囲を表す。折り返り領域４２は、撮像範囲４０の外からの折り返しアーチファクトを表す。また、矢印Ｄは、設定中の位相エンコードの方向を表す。画質情報５０は、断面画像領域４１（あるいは撮像範囲４０）における磁場強度に関する情報である。
【００６５】
図７の例では、ステップＳ１６０において、処理回路１５０は、推定機能１５０ｃにより、ステップＳ１４０で生成された断面画像と、静磁場または高周波磁場のシミング調整値とに基づいて、撮影範囲における磁場強度に関する情報を推定する。すなわち、処理回路１５０は、推定機能１５０ｃにより、第２の撮像を実行した場合の画質に関する情報として、例えば静磁場の不均一性の分布に関する情報を推定する。続いて、処理回路１５０は、制御機能１５０ａにより、ステップＳ１６０で推定機能１５０ｃにより推定した撮影範囲における磁場強度に関する情報を、画像データ又は断面画像に重畳させてディスプレイ１３５に表示させる。すなわち、処理回路１５０は、制御機能１５０ａにより、第１の撮像に係る磁気共鳴画像に、ステップＳ１６０において推定された静磁場の不均一性の分布に関する情報を重畳してディスプレイ１３５に表示させる。例えば、処理回路１５０は、制御機能１５０ａにより、第１の撮像に係る磁気共鳴画像に、第２の撮像における関心領域を含む領域に対して、静磁場の等高線マップを重畳してディスプレイ１３５に表示させる。また、別の例として、静磁場の値に通常とは異なる値である外れ値があった場合、処理回路１５０は、制御機能１５０ａにより、第１の撮像に係る磁気共鳴画像に、静磁場の値が外れ値になっている位置に関する情報を重畳してディスプレイ１３５に表示させる。
【００６６】
このような処理を行うことで、撮像範囲における磁場強度に関する情報が、例えばＢ０あるいはＢ１マップのＭＰＲ画像であった場合、Ｂ０あるいはＢ１マップのＭＰＲ画像が、ステップＳ１４０で生成された断面画像に重ねあわされて表示されることで、静磁場や高周波磁場が注目箇所で十分均一になっているか否かが容易に把握可能になる。
【００６７】
また、別の例として、ステップＳ１６０において、処理回路１５０は、推定機能１５０ｃにより、ステップＳ１４０で生成された断面画像と、パラレルイメージングの加速率とに基づいて、ｇ−ｆａｃｔｏｒに関する情報を推定してもよい。続いて、処理回路１５０は、制御機能１５０ａにより、ステップＳ１６０で推定機能１５０ｃにより推定されたｇ−ｆａｃｔｏｒに関する情報を、画像データ又は断面画像に重畳させてディスプレイ１３５に表示させる。
【００６８】
このように、処理回路１５０は推定機能１５０ｃにより、感度マップ、撮像範囲、及びパラレルイメージングの加速率に基づいて、ｇ−ｆａｃｔｏｒを計算し、制御機能１５０ａにより、例えば断面画像に重畳させてディスプレイ１３５に表示させる。このことで、注目箇所が折り返りアーチファクトが起こりやすい位置となっているか否かが容易に把握可能となる。
【００６９】
また、別の例として、ステップＳ１６０において、処理回路１５０は、推定機能１５０ｃにより、ステップＳ１４０で生成された断面画像と、磁気共鳴イメージングによる撮像の撮像範囲（第２の撮像を行った場合の撮像範囲）とに基づいて、受信コイルの感度の分布に関する情報を推定してもよい。
【００７０】
この場合、続いて、処理回路１５０は、制御機能１５０ａにより、ステップＳ１６０で推定機能１５０ｃにより推定された受信コイルの感度の分布に関する情報を、例えば断面画像に重畳させてディスプレイ１３５に表示させる。このことにより、撮像断面上の各位置で、コイル感度がどの程度あるかの把握が可能になる。
【００７１】
また、別の例として、ステップＳ１６０において、処理回路１５０は、推定機能１５０ｃにより、ステップＳ１４０で生成された断面画像と、受信コイル８の各エレメントの撮像範囲の情報とに基づいて、磁場中心からの距離に関する情報を推定してもよい。この場合、続いて、処理回路１５０は、例えば、制御機能１５０ａにより、ステップＳ１６０において推定機能１５０ｃにより推定した情報を、例えば断面画像に重畳させてディスプレイ１３５に表示させる。
【００７２】
このことにより、例えば、ユーザは、設定中の断面位置が、どの程度磁場中心から離れているかを確認することができる。
【００７３】
図８に、図６及び図７とは異なる場合における処理の一例が示されている。断面画像領域４１は、設定中の断面位置に対応するＭＰＲ画像の領域を表す。これに対して、撮像範囲４０は、設定中の撮像範囲を表す。折り返り領域５１及び折り返り領域５２は、折り返しアーチファクトが起こる領域を表す。
【００７４】
図８の例では、ステップＳ１６０において、処理回路１５０は、推定機能１５０ｃにより、ステップＳ１４０で生成された断面画像と、パラレルイメージングの加速率とに基づいて、アンフォールド前の折り返し画像に関する情報を推定する。続いて、処理回路１５０は、制御機能１５０ａにより、ステップＳ１６０で推定機能１５０ｃにより推定した情報を、例えば断面画像に重畳させてディスプレイ１３５に表示させる。
【００７５】
以上のように、処理回路１５０は、制御機能１５０ａにより、撮像範囲とパラレルイメージングの加速率から推定されるパラレルイメージングのアンフォールド前の折り返り画像をディスプレイ１３５に表示させる。このことにより、ユーザは、注目箇所が折り返りアーチファクトが起こりやすい位置となっていないかどうかを確認できる。
【００７６】
図９に、図６〜図８とは異なる処理の一例が示されている。断面画像領域４１は、設定中の断面位置に対応する画像の領域を表す。これに対して、撮像範囲４０は、設定中の撮像範囲を表す。番号５３ａ、番号５３ｂ、番号５３ｃ及び番号５３ｄは、ＭＰＲ画像（断面画像）上に表示されるコイルエレメントの番号を表す。例えば、番号５３ａは、該当する場所付近にあるコイルエレメントの番号が「３」であることを意味する。また、例えば、番号５３ｂは、該当する場所付近にあるコイルエレメントの番号が「４」であることを意味する。
【００７７】
図９の例では、ステップＳ１６０において、処理回路１５０は、推定機能１５０ｃにより、撮像において使用される受信コイルの位置に関する情報を推定する。続いて、ステップＳ１７０において、処理回路１５０は、制御機能１５０ａにより、ステップＳ１６０で推定機能１５０ｃにより推定した情報を、例えば断面画像に重畳させてディスプレイ１３５に表示させる。
【００７８】
以上のように、処理回路１５０は、制御機能１５０ａにより、ＭＰＲ画像（断面画像）上に受信コイル８のコイルエレメントの番号を表示させる。このことにより、ユーザは、設定画面位置上でコイルエレメントの配置を確認することができる。その結果、ユーザは、コイルエレメントが正しく選択できているかを判断することが容易になる。
【００７９】
なお、ステップＳ１７０において、処理回路１５０は、制御機能１５０ａにより、ステップＳ１６０で推定機能１５０ｃにより推定した情報を、コイルエレメントが断面位置を基準として奥にあるか手前にあるかの情報が数値や形状で表現された情報と併せて、画像データ又は断面画像に重畳させてディスプレイ１３５に表示させてもよい。
【００８０】
また、処理回路１５０は、入力インタフェース１３４のコイルエレメントの選択、非選択の変更の入力を受け付け、受け付けた入力に基づいて、推定機能１５０ｃを実行してもよい。かかる場合、ステップＳ１６０において、処理回路１５０は、推定機能１５０ｃにより、断面画像と、受信コイル８の各エレメントを使用するか否かの情報とに基づいて、撮像（第２の撮像）において使用される受信コイル８の位置に関する情報を推定する。続いて、ステップＳ１７０において、処理回路１５０は、制御機能１５０ａにより、ステップＳ１６０で推定機能１５０ｃにより推定した情報を、画像データ又は断面画像に重畳させてディスプレイ１３５に表示させる。
【００８１】
図１０に、図６〜図９とは異なる場合における処理の一例が示されている。断面画像領域４１は、設定中の断面位置に対応するＭＰＲ画像（断面画像）の領域を表す。これに対して、撮像範囲４０は、設定中の撮像範囲を表す。磁気歪補正画像５４は、ＭＰＲ画像（断面画像）上に表示された、磁気歪補正の画像を指す。ここで、磁場歪補正とは、読み出し方向などエンコードする際の傾斜磁場が、設計上の制約などにより理想的な直線とならない場合に画像が歪む（例えば、正円の物体が楕円として撮像される）現象に対して、画像変形などの後処理によって補正することである。
【００８２】
図１０の例では、ステップＳ１６０において、処理回路１５０は、推定機能１５０ｃにより、ステップＳ１４０で生成された断面画像と、受信コイルの各エレメントごとの撮像範囲の情報とに基づいて、磁場歪補正の画像を推定する。続いて、ステップＳ１７０において、処理回路１５０は、制御機能１５０ａにより、ステップＳ１６０で推定機能１５０ｃにより推定した情報を、画像データ又は断面画像に重畳させてディスプレイ１３５に表示させる。
【００８３】
以上のように、処理回路１５０は、制御機能１５０ａにより、撮像範囲と磁気歪補正後の画像とをディスプレイ１３５に表示させる。特に、肩・肘・手など、磁場中心から遠い箇所に被検体Ｐをセッティングする場合、磁場歪補正の補正量が大きくなり、撮像位置を設定した時のユーザの想定と、磁場歪補正後の画像の位置が異なる場合が起きやすい。このような場合でも、ユーザは磁場歪補正前後の画像の変化を事前に確認することができる。
【００８４】
ステップＳ１７０のタイミング、すなわち、処理回路１５０が制御機能１５０ａにより、画質に関する情報を断面画像に重畳させてディスプレイ１３５に表示するタイミングには、様々な可能性が考えられる。
【００８５】
かかる可能性の例として、例えば、処理回路１５０は、図示しない受付機能により、磁気共鳴イメージングによる撮像の設定に関するパラメータの修正入力をユーザから受け付ける。受付機能により修正入力を受け付けている間、処理回路１５０は、制御機能１５０ａにより、画質に関する情報を断面画像に重畳させてディスプレイ１３５に表示させる。一方、受付機能により修正入力を受け付けていない間、処理回路１５０は、制御機能１５０ａにより、画質に関する情報を非表示にさせる。
【００８６】
また、かかる可能性の別の例として、例えば、処理回路１５０は、図示しない受付機能により、磁気共鳴イメージングによる撮像の設定に関するパラメータの修正入力をユーザから受け付ける。修正入力の受付が完了した後、処理回路１５０は、制御機能１５０ａにより、画質に関する情報を断面画像に重畳させてディスプレイ１３５に表示させる。また、処理回路１５０は、制御機能１５０ａにより、例えば、所定のボタンを押した場合や、修正入力が完了してから一定時間経過したあと、自動的に画質に関する情報を非表示にしてもよい。
【００８７】
また、かかる可能性の別の例として、例えば、処理回路１５０は、図示しない判定機能により、画質に関する情報を表す値と所定の閾値とを比較して判定を行う。処理回路１５０は、制御機能１５０ａにより、判定機能による判定結果に基づいて、画質に関する情報を断面画像に重畳させてディスプレイ１３５に表示させる。例えば、処理回路１５０は、推定した画質に関する情報が、予め定めた閾値を超えた場合に、断面画像及び画質情報を自動的に表示させる。
【００８８】
図２のフローチャートに戻り、処理回路１５０は、入力インタフェース１３４を通じて、ステップＳ１７０においてディスプレイ１３５に断面画像に重畳されて表示された画質に関する情報を見たユーザから、パラメータの修正の入力を受け付ける(ステップＳ１８０)。すなわち、処理回路１５０は、受付機能により、入力インタフェース１３４を通じて、第１の磁気共鳴画像に対する指定操作を操作者から受け付ける。パラメータの修正の入力を受け付けた場合（ステップＳ１８０  Ｙｅｓ）、処理はステップＳ１３０へと戻る。すなわち、処理回路１５０は、指定操作に基づいて、第２の撮像に関する撮像条件の設定を変更する。パラメータの修正を行わない場合（ステップＳ１８０  Ｎｏ）、処理はステップＳ１９０へと進む。
【００８９】
すなわち、処理回路１５０は、受付機能により、ステップＳ１８０において、例えば、シミングのための関心領域の指定を操作者から受け付ける。例えば、処理回路１５０は、受付機能により、例えば、撮像において着目する領域の指定を操作者から受け付ける。かかる場合、操作者は、例えば心臓に着目する場合、心臓周辺の領域を画面上で選択することにより、関心領域の指定を行う。また、別の例として、処理回路１５０は、受付機能により、例えばシミングにおいて計算処理の対象外とする領域の指定を操作者から受け付ける。すなわち、例えばステップＳ１７０において、磁気共鳴画像に、静磁場の等高線マップが重畳されてディスプレイ１３５に表示されている場合、操作者は、ディスプレイ１３５に表示されている等高線マップから、外れ値を読み取り、読み取りの結果に基づいて、シミングにおいて計算処理の対象外とする領域を指定する。このことにより、選択された領域が計算処理の対象外とされることで、画像のアーチファクトを低減することができる。
【００９０】
続いて、処理回路１５０は、制御機能１５０ａにより、関心領域の指定に基づいて、シミングのための値を計算し、計算した値を適用するように、第２の撮像の撮像条件の設定を変更する。例えば、前述のステップで、操作者が、シミングにおいて計算処理の対象外とする領域を指定した場合、処理回路１５０は、制御機能１５０ａにより、指定された領域については、静磁場の値を、周辺の領域の値から内挿した値に置き換え、置き換えた値に基づいて、第２の撮像の撮像条件の設定を変更する。
【００９１】
なお、処理回路１５０は、ステップＳ１４０で生成されたＭＰＲ画像や、ステップＳ１６０で推定された画像情報に基づいて、自動的に撮像パラメータの修正を行っても良い。一例として、例えば、処理回路１５０は、設定中の断面位置におけるＢ０分布やＢ１分布の値に基づいて、静磁場補正用コイルに流す電流値や、マルチ送信コイルの強度・波形・位相などの情報を調整してもよい（シミング）。また、例えば、処理回路１５０は、磁場歪後の画像の空気以外の領域の重心を計算し、磁場歪後に対象物が撮像範囲の中心に来るように撮像位置を修正してもよい。また、処理回路１５０は、例えば、入力インタフェース１３４を通じて断面画像上で注目領域を指定し、その範囲で画質情報がより改善するように、パラレルイメージングの折り返りがかからないように撮像範囲、エンコード方向、シミング、撮像位置の修正を行ってもよい。
【００９２】
最後に、シーケンス制御回路１０は、決定された断面位置や撮像パラメータに基づいて、診断用の撮像（検査用シーケンスの撮像）である第２の撮像を実行する（ステップＳ１９０）。第２の撮像は、例えば第１の撮像よりも後段の撮像である。ステップＳ１９０の終了後、処理はステップＳ１２０へと戻る。
【００９３】
なお、上述した画質情報は、検査部位や検査用シーケンスによって、有効な情報は異なる。例えば、乳房の造影ダイナミック検査であれば、脂肪抑制性能と相関が高いＢ０、Ｂ１マップの情報が有効である。また、例えば、肩、肘、手などは被検体Ｐの状態によってセッティング体位が変わることが多いので、ＦＯＶ外の折り返りや、受信コイルの感度分布画像、磁場歪前後の画像の情報が有効である。また、一般的な磁気共鳴イメージングによる検査では、メモリ１３２が、検査部位や検査内容ごとにグループ化されたシーケンスごとの撮像パラメータを予め調整したものを保持する。続いて、シーケンス制御回路１０が、検査内容に応じて保持している撮像シーケンス群を選択し、患者の状況に合わせて断面位置の設定や撮像パラメータの微調整をして検査を始める。このような背景から、メモリ１３２は、あらかじめ保持している撮像シーケンスごとに、断面画像や画質情報の表示の有無や、表示する画質情報の種類を設定してもよい。
【００９４】
なお、実施形態はこれに限られない。
【００９５】
処理回路１５０がロケータ画像を生成する場合の例において、実施形態では、ロケータ画像が３次元データである場合を例にとり説明した。しかしながら、例えば、ステップＳ１００において、シーケンス制御回路１０は、例えば２Ｄのシーケンスを用いたマルチスライス撮像を実行してもよい。かかる場合、ステップＳ１１０において、処理回路１５０は、ステップＳ１００においてシーケンス制御回路１０が実行したマルチスライス撮像に基づいて、ロケータ画像を生成する。
【００９６】
ステップＳ１１０の３次元データが感度マップである場合の例において、例えば、ステップＳ１１０において、処理回路１５０は、コイル８のエレメントごとの画像と全エレメント画像のＳＯＳ（Sum  of  Squares）との比を用いて、感度マップを生成してもよい。
【００９７】
ステップＳ１１０の３次元データがシミング画像である場合の例において、ステップＳ１１０において、処理回路１５０は、Ｂ０分布を、ＭＲＳ（Ｍａｇｎｅｔｉｃ  Ｒｅｓｏｎａｎｃｅ  Ｓｐｅｃｔｒｏｓｃｏｐｙ）画像から計算しても良い。
【００９８】
ステップＳ１１０の３次元データをシミング画像として生成する場合の例において、ステップＳ１１０において、処理回路１５０は、Ｂ１分布を、複数のタギング画像のずれに基づいて算出してもよい。
【００９９】
また、例えば、ステップＳ１１０において取得される３次元データは、複数の役割を有していてもよい。例えば、ステップＳ１１０において取得される３次元データは、感度マップを表す画像データとしての役割と、形態情報を示すロケータ画像としての役割とを兼ね備えてもよい。また、例えば、ステップＳ１１０において取得される３次元データは、シミングマップを表す画像データとしての役割と、形態情報を示すロケータ画像としての役割とを兼ね備えてもよい。
【０１００】
ステップＳ１３０において、処理回路１５０は、入力装置１３４を通じて、検査用シーケンスの断面の場所を特定する情報の例として、例えば、断面上の３点を指定してもよい。
【０１０１】
ステップＳ１３０における検査用シーケンスの断面位置の入力インタフェースとして、既に撮像済みの検査用シーケンスの再構成画像と、設定断面が直交しない場合、処理回路１５０は、制御機能１５０ａにより、ＦＯＶを平行四辺形にすることにより再構成画像と設定断面との位置関係を、ディスプレイ１３５に表示させてもよい。
【０１０２】
ステップＳ１３０において、処理回路１５０は、複数の再構成画像をディスプレイ１３５に表示させて設定断面に関する情報の入力を受け付けても良い。
【０１０３】
実施形態における３次元データや画質情報のデータ形式に関しては、上述の例に限られない。例えば、Ｂ０／Ｂ１マップ、磁場中心からの距離画像については、任意の閾値を危険水域基準として設け、ＯＫの領域かＮＧの領域かの２値画像としても良い。また、ＮＧ領域がそもそも存在するかどうか、どの程度の体積ＮＧ領域が存在するかが数値で表示されることにより構成されたデータ形式であってもよい。
【０１０４】
ステップＳ１７０において、処理回路１５０が、磁気共鳴画像に推定結果を重畳させてディスプレイ１３５に表示させるのは、形態画像や機能画像などに画質に関する情報が重畳されて表示されることにより、例えば画質に関する情報の、腫瘍の位置に対する相対的位置関係などがより直観的にわかりやすくからである等の説明をしたが、実施形態はこれに限られない。すなわち、処理回路１５０は、推定結果を単独でディスプレイ１３５に表示させてもよい。かかる場合、実施形態に係る磁気共鳴イメージング装置１００は、シーケンス制御回路１２０及び処理回路１５０を備える。シーケンス制御回路１２０は、被検体を対象に、第１の撮像、及び、第１の撮像よりも後段の第２の撮像を実行する。処理回路１５０は、第２の撮像を実行した場合の画質に関する情報を、第１の撮像に係る磁気共鳴画像と、第２の撮像に関して設定された撮像条件とに基づいて推定する。処理回路１５０は、推定した結果をディスプレイ１３５に表示させる。処理回路１５０は、当該磁気共鳴画像に対する指定操作を操作者から受け付ける。処理回路１５０は、当該指定操作に基づいて、第２の撮像に関する撮像条件の設定を変更する。
【０１０５】
（プログラム）
上述した実施形態の中で示した処理手順に示された指示は、ソフトウェアであるプログラムに基づいて実行されることが可能である。汎用の計算機システムが、このプログラムを予め記憶しておき、このプログラムを読み込むことにより、上述した実施形態の磁気共鳴イメージング装置や画像処理装置による効果と同様な効果を得ることも可能である。上述した実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷなど）、半導体メモリ、又はこれに類する記録媒体に記録される。コンピュータ又は組み込みシステムが読み取り可能な記憶媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態の磁気共鳴イメージング装置や画像処理装置と同様な動作を実現することができる。もちろん、コンピュータがプログラムを取得する場合又は読み込む場合はネットワークを通じて取得又は読み込んでもよい。
【０１０６】
また、記憶媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が、上述した実施形態を実現するための各処理の一部を実行してもよい。
【０１０７】
さらに、記憶媒体は、コンピュータあるいは組み込みシステムと独立した媒体に限らず、ＬＡＮ（Local  Area  Network）やインターネット等により伝達されたプログラムをダウンロードして記憶又は一時記憶した記憶媒体も含まれる。
【０１０８】
また、記憶媒体は１つに限られず、複数の媒体から、上述した実施形態における処理が実行される場合も、実施形態における記憶媒体に含まれ、媒体の構成は何れの構成であってもよい。
【０１０９】
なお、実施形態におけるコンピュータ又は組み込みシステムは、記憶媒体に記憶されたプログラムに基づき、上述した実施形態における各処理を実行するためのものであって、パソコン、マイコン等の１つからなる装置、複数の装置がネットワーク接続されたシステム等の何れの構成であってもよい。
【０１１０】
また、実施形態におけるコンピュータとは、パソコンに限らず、情報処理機器に含まれる演算処理装置、マイコン等も含み、プログラムによって実施形態における機能を実現することが可能な機器、装置を総称している。
【０１１１】
（ハードウェア構成）
図１１は、実施形態に係る画像処理装置２００のハードウェア構成を示す図である。上述した実施形態に係る画像処理装置２００は、ＣＰＵ（Central  Processing  Unit）３１０等の制御装置と、ＲＯＭ（Read  Only  Memory）３２０やＲＡＭ（Random  Access  Memory）３３０等の記憶装置と、ネットワークに接続して通信を行う通信インタフェース３４０と、各部を接続するバス３０１とを備えている。上述した実施形態に係る画像処理装置２００で実行されるプログラムは、例えばＲＯＭ３２０等に予め組み込まれて提供される。また、上述した実施形態に係る画像処理装置２００で実行されるプログラムは、コンピュータを上述した画像処理装置２００の各部として機能させ得る。このコンピュータは、ＣＰＵ３１０がコンピュータ読取可能な記憶媒体からプログラムを主記憶装置上に読み出して実行することができる。
【０１１２】
実施形態においては、磁気共鳴イメージング装置１００について説明したが、実施形態は画像処理装置２００についても同様に適用可能である。例えば、実施形態に係る画像処理装置２００は、処理回路１５０を備える。処理回路１５０は、推定機能１５０ｃにより、第１の撮像よりも後段の第２の撮像を実行した場合の画質に関する情報を、第１の撮像に係る磁気共鳴画像と、第２の撮像に関して設定された撮像条件とに基づいて推定する。処理回路１５０は、制御機能１５０ａにより、推定した結果を当該磁気共鳴画像に重畳してディスプレイ１３５に表示させ、磁気共鳴画像に対する指定操作を操作者から受け付け、指定操作に基づいて、前記第２の撮像に関する撮像条件の設定を変更する。
【０１１３】
以上述べた少なくとも一つの実施形態の磁気共鳴イメージング装置及び画像処理装置によれば、画質に関する情報を確認することができる。
【０１１４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
１５０  処理回路
１５０ａ  制御機能
１５０ｂ  生成機能
１５０ｃ  推定機能
【図１】
2018020106.tif 000005
【図２】
2018020106.tif 000006
【図３】
2018020106.tif 000007
【図４】
2018020106.tif 000008
【図５】
2018020106.tif 000009
【図６】
2018020106.tif 000010
【図７】
2018020106.tif 000011
【図８】
2018020106.tif 000012
【図９】
2018020106.tif 000013
【図１０】
2018020106.tif 000014
【図１１】
2018020106.tif 000015